(57)【要約】      （修正有）【課題】ダイニングボード、およびリビングボードの家具を購入して部屋に設置する状況のカラーシミュレーションを簡単な操作で実現できる顧客対応できる色彩選択可能なタグシート付き家具を提供する。【解決手段】部屋の環境にマッチできるように表面仕上げする対象面を選択できるダイニングボード、およびリビングボードの家具であって、インターネットでの独自ホームページに簡単に直接接続できるようになっているＱＲコード（登録商標）を付けて、それによる手順によってダイニングボード、およびリビングボードの家具の表面を有する板状基材の化粧表面に形成される色彩を自由に選択できるようにしているタグシート２を取り付けている。【選択図】図１
0003195777.tif 000002
【実用新案登録請求の範囲】
【請求項１】
部屋の環境にマッチできるように表面仕上げする対象面を選択できる家具であって、インターネットでの独自ホームページに簡単に直接接続できるようになっているＱＲコードを付けて、それによる手順によって家具の表面を有する板状基材の化粧表面に形成される色彩・模様を自由に選択できるようにしているタグシートを取り付けていることを特徴とする色彩選択可能なタグシート付き家具
【請求項２】
家具に取り付けているタグシートは、縦５０〜２００ｍｍ、横５０〜２００ｍｍの形状の樹脂製、又は紙製のシートであって、その平面シート形状が略矩形、略三角形、円形、又は四角形以上の略多角形のうちの少なくとも何れか一つであり、そのシート内にパソコン、及びスマートフォンの移動通信機器で独自のホームページに直接接続できるＱＲコートと簡単な手順説明と検索サイトとカラーシミュレーターの名称を記載していることを特徴とする請求項１に記載の色彩選択可能なタグシート付き家具。
【請求項３】
独自のホームページに直接接続した場合には、形状・模様に加えて、色彩の３０〜８０種類のパターンを持っているダイニングボード、およびリビングボードの家具サイトに入って、それらの形状と併せて、色彩・模様を自由に選択を行うことによって、所望の形状と模様に色彩を持ったダイニングボード、およびリビングボードの家具を呈示、並びに選択できるようになっていることを特徴とする請求項１、又は請求項２に記載の色彩選択可能なタグシート付き家具。
【考案の詳細な説明】
【技術分野】
【０００１】本考案は、ダイニングボード、およびリビングボードの家具の表面等の、表面仕上げする対象面に模様、色彩を選択できるようになったタグシートを取り付けて、色彩を自由に選択できるようになっているタグシート付きダイニングボード、およびリビングボードの家具に関するものである。
【背景技術】
【０００２】住宅での色彩選択において、細長い平板状の化粧板を用いた内装方法に係る技術は、表側の面の一部に粘着剤を塗布してなる粘着板を、下地の柱部材の表面に釘により打ち付けることにより各柱部材にそれぞれ取り付け、各粘着板の表側の面における粘着剤を塗布していない部分に接着剤を塗布したのち、複数枚の化粧板を各化粧板の突合せ部分が粘着板の表側の表面に位置するようにして連続的に固着するものである方法が提案されている（特許文献１参照）。【０００３】また住宅の壁の被装飾面に接着により取り付けて被装飾面を化粧する化粧材の施工技術は、互いに隣接配置される２枚の化粧材を、化粧材どうしの継ぎ目部分に、あらかじめ化粧材の裏側から継ぎ目部分を覆うように両面テープを貼り付けておき、さらに、化粧材の裏側に接着剤を塗布してから被装飾面に貼り付けるものである（特許文献２参照）。【０００４】キッチンパネルのレイアウト全体を所望のカラーパターンにデザインすることのできるキッチンパネル色コーディネートシステムを提供するために、ポインタをフロアユニットにおける一つの分割パネル区分に近づけて、ポインタと重なった分割パネル区分が分割区分枠で囲まれる。ユーザーはその場所でマウスをクリックし分割パネル区分を指定し、次にカラーサンプルから自分の好みに合った一つの色を選ぶ。色を決めると、ポインタがその色と重なった場所においてクリックすると、先ほど選択しておいた分割パネル区分の色が選んだ色へと変わるような操作を繰り返すことで、レイアウトを自分の好みに合ったデザインへと変更することが可能となる方法が提案されている（特許文献３参照）。【０００５】仮想商店街を立ち上げて、訪問者がパーソナルブランドに取り組みたくなるような商品展示をして、商品そのものの分かり易い立体的展示及びその製作手順の解説をし、さらに、デザイン、材料、加工ノウハウを提供し、顧客が創作に取り組む場合の色々な支援グループのネットワークを形成し、オリジナルな家具や皮革製品、日用品の創作の手助けができる物とサービスのサプライ・チェイン・マネジメントシステムを完成させる方法を提案されている（特許文献４参照）。【０００６】屋外または室内による背景、屋外または室内に存在するものによる点景、架空の物品、架空の生物、架空の地形、人体の全体、人体の部分、化粧品、衣服、アクセサリー、靴、鞄、帽子、メガネ、時計、傘、運動用具、乗り物、家具、家電、工具、文房具、炊事用具、家事用具、園芸用具からなる群から選択された事物のインターネットブラウザーで読み込み可能な画像ファイルと、服飾のデザイン画や写真のインターネットブラウザーで読み込み可能な画像ファイルと、これらの画像をインターネット用のブラウザーソフト上で制御することが可能な文書形式により書かれたファイルを有し、各画像をマウスなどのポインティングデバイスにより適宜選択して、１枚の画像として、単数あるいは複数を、画面上に映し出し閲覧するファイル群にすることが提案されている（特許文献５参照）。【０００７】ダイニングボード、およびリビングボードの家具を色彩において自由に選択できるようになっている家具選択が可能になっているものは存在してない。
【先行技術文献】
【特許文献】
【０００８】
【特許文献１】特開平５−１４８９７４号公報
【特許文献２】特開２００５−２２０５２９号公報
【特許文献３】特開２０１１−２４８５５４号公報
【特許文献４】特開２００７−２６２８０号公報
【特許文献５】特開２００３−１３２１３１号公報
【考案の概要】
【考案が解決しようとする課題】
【０００９】ダイニングボード、およびリビングボードの家具において注文品よりも安価に、従来の半注文品よりも自由度を高めたダイニングボード、およびリビングボードの家具を提供することを目的とする。
ユーザーが自分で家具の販売店に出向いて家具を購入する場合には，ユーザーは家具を設置する環境（具体的には自分の家の居間等の部屋）に実際に家具を設置した状況を自身の記憶に頼って想像しながら家具を選択するのが一般的である。しかしカラーシミュレーションすることによって，上記環境（例；居間等の部屋）と調和のとれた家具を購入することを期待されている。【００１０】そのため，ユーザー自身のシミュレーションによってダイニングボード、およびリビングボードの家具を購入して実際に部屋に設置しても，その設置状況が購入時にユーザー自身がシミュレーションした状況とは異なって，結果的に上記環境と調和のとれない家具を設置せざる得ない状況となってしまう問題がある。
ダイニングボード、およびリビングボードの家具を購入する場合に一般のユーザーにとってはパソコンで操作することが難しいプログラムである。【００１１】例えば，上記設計用プログラムをユーザーが操作するには，図面上の住宅構造の指定，寸法の入力，建具のサイズ等の多くのパラメータの入力を行わなければならず，家具を購入しようとするユーザーに上述の家具購入とは直接関係無い設計用プログラムの操作に関する知識を要求することは非常に難しいことであるといえる。店頭でダイニングボード、およびリビングボードの家具を販売することを目的とする販売店にとっては上記試みも非効率的な購買活動となる可能性がある。【００１２】そこで，本考案は上記事情に鑑みてなされたものであり，その目的とするところは，ダイニングボード、およびリビングボードの家具を購入して部屋に設置する状況のカラーシミュレーションを簡単な操作で実現できる顧客対応できるダイニングボード、およびリビングボードの家具を提供することである。
【課題を解決するための手段】
【００１３】部屋の環境にマッチできるように表面仕上げする対象面を選択できる家具であって、インターネットでの独自ホームページに簡単に直接接続できるようになっているＱＲコードを付けて、それによる手順によって家具の表面を有する板状基材の化粧表面に形成される色彩・模様を自由に選択できるようにしているタグシートを取り付けている色彩選択可能なタグシート付き家具である。【００１４】家具に取り付けているタグシートは、縦５０〜２００ｍｍ、横５０〜２００ｍｍの形状の樹脂製、又は紙製のシートであって、その平面シート形状が略矩形、略三角形、円形、又は四角形以上の略多角形のうちの少なくとも何れか一つであり、そのシート内にパソコン、及びスマートフォンの移動通信機器で独自のホームページに直接接続できるＱＲコートと簡単な手順説明と検索サイトとカラーシミュレーターの名称を記載している。【００１５】独自のホームページに直接接続した場合には、形状・模様に加えて、色彩の３０〜８０種類のパターンを持っているダイニングボード、およびリビングボードの家具サイトに入って、それらの形状と併せて、色彩・模様を自由に選択を行うことによって、所望の形状と模様に色彩を持ったダイニングボード、およびリビングボードの家具を呈示、並びに選択できるようになっている。【００１６】需要者がインターネットにアクセスし、希望のダイニングボード、およびリビングボードの家具の形状（幅、奥行き、高さ）と寸法と色彩の種類と材料の種類と器具状況と設置場所の要望を詳細に打ち込むことにより、需要者に要望家具の容姿と料金と納期を提示して、需要者と製作者の合意のもとに売買契約を締結して、需要者の要望条件とともにホストコンピューターはプログラムに沿って部材の加工による組み立て、組み立てた後に出荷されることができるように食器棚を出荷する顧客対応の家具である。【００１７】前記建家住宅内の部屋である場合に，家具の色との組み合わせを含んでなる需要者に伝えるダイニングボード、およびリビングボードの家具になっている。前記調和家具提示手順で提示した家具に対する変更指示を受け付けた場合に，別の住宅内状況に関する情報と、別の家具の品目及び／若しくは色に関する情報を取得したダイニングボード、およびリビングボードの家具を提供できる。
【考案の効果】
【００１８】ダイニングボード、およびリビングボードの家具の発注者がインターネットを介して所望のダイニングボード、およびリビングボードの家具をオーダーする場合、ダイニングボード、およびリビングボードの家具発注者は、選択された家具部材を用いて構成されるダイニングボード、およびリビングボードの家具の画像が発注者の家具の情報選択手段にディスプレイされる。これによって、発注者が家具部材を選択する上で設置したイメージとおりの家具になり、家具を構成する家具部材を選択することが容易であるとともに、選択された家具と家具部材で構成されるダイニングボード、およびリビングボードの家具を画像で見て確認することができるため、発注者は確実に所望のダイニングボード、およびリビングボードの家具をオーダーすることができる。【００１９】本考案は，ダイニングボード、およびリビングボードの家具が設置される環境に調和する家具を提示するものであって，上記住宅内の家具設置手順で取得された情報に基づいて，予め定められる環境と品目との組み合わせから、上記環境に調和されたダイニングボード、およびリビングボードの家具の設置を提示することができる。【００２０】上述の方法でダイニングボード、およびリビングボードの家具を注文することで、多数の商品の展示も必要がなく、展示場をコンパクトにすることができて、営業、企画にかかる人件費、経費を削減することができる。顧客が選択した色彩、形状によって組み立てた後の段階で出荷するので、発注者が家具部材を選択する上で設置したイメージが家具になり、顧客が要望された自由な色彩、寸法のダイニングボード、およびリビングボードの家具を提供することができる。需要者が要望する形状、色彩の組み立てによって、全体的な人件費などの経費を削減することができた。
【図面の簡単な説明】
【００２１】
【図１】色彩を選択できるタグシート付き食器棚の概略平面図である。
【図２】カラーシュミレーターで色彩を選択できるタグシートの図である。
【図３】カラーシュミレーターでの色彩を選択できる手順を示す図である。
【図４】カラーシュミレーターで選択できた食器棚の室内平面図である。
【図５】色彩を選択できるタグシート付きテレビボード家具を示す概略斜視図である。
【考案を実施するための形態】
【００２２】以下、本考案の実施形態について、図面を参照して説明する。図１は、色彩を選択できるタグシート付き食器棚の概略平面図である。図２は、色彩を選択できるタグシートの図である。図３は、手順を示す図である。
【実施例１】
【００２３】部屋の環境にマッチできるように表面仕上げする対象面を選択できる横６００ｍｍ、奥行き４５０ｍｍ、高さ１８００  ｍｍｍである図１に示すようなパイン製のガラス戸付き食器棚であって、この食器棚に貼りつけたタグシートにインターネット又はスマホでの独自ホームページに簡単に直接接続できるようになっているＱＲコードを付けて、ホームページ内の食器棚の項目をクリックすると、それによる手順によって食器棚の表面を有する板状基材の化粧表面に形成される色彩・模様を５０種類で自由に選択できるようにしているタグシートを取り付けている。【００２４】食器棚に取り付けているタグシートは、縦５０ｍｍ、横５０ｍｍの形状の樹脂製のシートであって、その平面形状が略矩形であり、そのシート内にパソコン、及びスマートフォンで独自のホームページに直接接続できるＱＲコートと簡単な手順説明と検索サイトとカラーシミュレーターの名称を記載してある。【００２５】独自のホームページに直接接続した場合には、食器棚サイトに入って、形状、模様と色彩との５０種類のパターンを持っており、それらを自由に選択すると所望の形状と模様に色彩を着けた食器棚を呈示できるようになっている色彩を選択可能なタグシート付き食器棚である。【００２６】食器棚の発注者がインターネットを介して所望の食器棚をオーダーする場合、食器棚発注者は、選択された食器棚部材を用いて構成される食器棚の画像が食器棚発注者の食器棚情報選択手段にディスプレイされる。これによって、食器棚及びその家具を構成する家具部材を選択することが容易になり、選択された食器棚と家具部材で構成される食器棚を画像で見て確認することができた。これを基にサンプルの部材を最終確認して、食器棚発注者は確実に所望の食器棚をオーダーすることができた。
【実施例２】
【００２７】部屋の環境にマッチできるように表面仕上げする対象面を選択できる横１２００ｍｍ、奥行き４５０  ｍｍ、高さ１６００  ｍｍである図５に示すような製のガラス戸付きテレビボードであって、インターネットでの独自ホームページに簡単に直接接続できるようになっているＱＲコードを付けて、それによる手順によって食器棚の表面を有する板状基材の化粧表面に形成される色彩・模様を自由に選択できるようにしているタグシートを取り付けている。【００２８】テレビボードに取り付けているタグシートは、縦１００ｍｍ、横８０ｍｍの形状の樹脂製のシートであって、その平面形状が円形であり、そのシート内にパソコン、及びスマートフォンで独自のホームページに直接接続できるＱＲコートと簡単な手順説明と検索サイトとカラーシミュレーターの名称を記載している。【００２９】独自のホームページに直接接続した場合には、テレビボードサイトに入って、形状、模様と色彩との３０種類のパターンを持っており、それらを自由に選択すると所望の形状と模様に色彩を着けたテレビボードを呈示できるようになっている色彩選択可能なタグシート付きテレビボードである。【００３０】テレビボードの発注者がインターネットを介して所望のテレビボードをオーダーする場合、テレビボード発注者は、選択されたテレビボード部材を用いて構成されるテレビボードの画像がテレビボード発注者のテレビボード情報選択手段にディスプレイされる。これによって、テレビボードを構成する部材を選択することが容易になり、選択されたテレビボード部材で構成されるテレビボードを画像で見て確認することができた。テレビボード発注者は確実に所望のテレビボードをオーダーすることができた。
【実施例３】
【００３１】図４に示すように、部屋の環境にマッチできるように表面仕上げする対象面を選択できる横９００ｍｍ、奥行き４５０ｍｍ、高さ１２００ｍｍであるＭＤＦ製のガラス戸付き食器棚であって、インターネットでの独自ホームページに簡単に直接接続できるようになっているＱＲコードを付けて、それによる手順によって食器棚の表面を有する板状基材の化粧表面に形成される色彩・模様を自由に選択できるようにしているタグシートを取り付けている。【００３２】食器棚に取り付けているタグシートは、縦１００ｍｍ、横５０ｍｍの形状の樹脂製のシートであって、その平面形状が矩形であり、そのシート内にパソコン、及びスマートフォンで独自のホームページに直接接続できるＱＲコートと簡単な手順説明と検索サイトとカラーシミュレーターの名称を記載している。【００３３】独自のホームページに直接接続した場合には、食器棚サイトに入って、形状、模様と色彩との５０種類のパターンを持っており、それらを自由に選択すると所望の形状と模様に色彩を着けた食器棚を呈示できるようになっている色彩選択可能なタグシート付き食器棚である。【００３４】食器棚の発注者がインターネットを介して所望の食器棚をオーダーする場合、食器棚発注者は、選択された食器棚部材を用いて構成される食器棚の画像が食器棚発注者の食器棚情報選択手段にディスプレイされる。これによって、食器棚及びその家具を構成する家具部材を選択することが容易になり、選択された食器棚と家具部材で構成される食器棚を画像で見て確認することができた。食器棚発注者は確実に所望の食器棚をオーダーすることができた。
【符号の説明】
【００３５】１、食器棚
２、タグシート
３、表面
４、ＱＲコード
５、会社名
６、説明文
７、ＱＲコード
８、引き戸
９、ガラス戸
１０、テレビボード
１１、テレビ
【図１】
0003195777.tif 000003
【図２】
0003195777.tif 000004
【図３】
0003195777.tif 000005
【図４】
0003195777.tif 000006
【図５】
0003195777.tif 000007
【手続補正書】
【提出日】平成26年8月13日(2014.8.13)
【手続補正１】
【補正対象書類名】実用新案登録請求の範囲
【補正対象項目名】全文
【補正方法】変更
【補正の内容】
【実用新案登録請求の範囲】
【請求項１】
部屋の環境にマッチできるように表面仕上げになっている対象面を選択できる家具であって、インターネットでの独自ホームページに簡単に直接接続できるようになり、前記接続によって所望家具の表面である化粧板状基材の色彩・模様を自由に選択できるようなっているＱＲコード（登録商標）とカード名称と会社名とホームページアドレスとが印字されているタグシートを家具本体の表面に取り付けされていることを特徴とする色彩選択可能なタグシート付き家具。
【請求項２】
家具本体の表面に取り付けされているタグシートは、縦５０〜２００ｍｍ、横５０〜２００ｍｍの形状の樹脂製、又は紙製のシートであって、その平面シート形状が略矩形、略三角形、円形、又は四角形以上の略多角形のうちの少なくとも何れか一つであり、そのシート内にパソコン、及びスマートフォンの移動通信機器で独自のホームページに直接接続できるＱＲコード（登録商標）と簡単な手順説明と検索サイトとカラーシミュレーターの名称を記載していることを特徴とする請求項１に記載の色彩選択可能なタグシート付き家具。
【請求項３】
独自のホームページに直接接続した場合には、形状・模様に加えて、色彩の３０〜８０種類のパターンを持っているダイニングボード、およびリビングボードの家具サイトに入って、それらの形状と併せて、色彩・模様で自由に選択を行うことによって、所望の形状と模様に色彩を持ったタイニングボード、およびリビングボードの家具を呈示、並びに選択できるようになっていることを特徴とする請求項１、又は請求項２に記載の色彩選択可能なタグシート付き家具。
【手続補正２】
【補正対象書類名】明細書
【補正対象項目名】全文
【補正方法】変更
【補正の内容】
【考案の詳細な説明】
【技術分野】
【０００１】本考案は、ダイニングボード、およびリビングボードの家具の表面等の、表面仕上げする対象面に模様、色彩を選択できるようになったタグシートを貼着されて、色彩を自由に選択できるようになっているタグシート付きダイニングボード、およびリビングボードの家具に関するものである。
【背景技術】
【０００２】住宅での色彩選択において、細長い平板状の化粧板を用いた内装方法に係る技術は、表側の面の一部に粘着剤を塗布してなる粘着板を、下地の柱部材の表面に釘により打ち付けることにより各柱部材にそれぞれ取り付け、各粘着板の表側の面における粘着剤を塗布していない部分に接着剤を塗布したのち、複数枚の化粧板を各化粧板の突合せ部分が粘着板の表側の表面に位置するようにして連続的に固着するものである方法が提案されている（特許文献１参照）。【０００３】また住宅の壁の被装飾面に接着により取り付けて被装飾面を化粧する化粧材の施工技術は、互いに隣接配置される２枚の化粧材を、化粧材どうしの継ぎ目部分に、あらかじめ化粧材の裏側から継ぎ目部分を覆うように両面テープを貼り付けておき、さらに、化粧材の裏側に接着剤を塗布してから被装飾面に貼り付けるものである（特許文献２参照）。【０００４】キッチンパネルのレイアウト全体を所望のカラーパターンにデザインすることのできるキッチンパネル色コーディネートシステムを提供するために、ポインタをフロアユニットにおける一つの分割パネル区分に近づけて、ポインタと重なった分割パネル区分が分割区分枠で囲まれる。ユーザーはその場所でマウスをクリックし分割パネル区分を指定し、次にカラーサンプルから自分の好みに合った一つの色を選ぶ。色を決めると、ポインタがその色と重なった場所においてクリックすると、先ほど選択しておいた分割パネル区分の色が選んだ色へと変わるような操作を繰り返すことで、レイアウトを自分の好みに合ったデザインへと変更することが可能となる方法が提案されている（特許文献３参照）。【０００５】仮想商店街を立ち上げて、訪問者がパーソナルブランドに取り組みたくなるような商品展示をして、商品そのものの分かり易い立体的展示及びその製作手順の解説をし、さらに、デザイン、材料、加工ノウハウを提供し、顧客が創作に取り組む場合の色々な支援グループのネットワークを形成し、オリジナルな家具や皮革製品、日用品の創作の手助けができる物とサービスのサプライ・チェイン・マネジメントシステムを完成させる方法を提案されている（特許文献４参照）。【０００６】屋外または室内による背景、屋外または室内に存在するものによる点景、架空の物品、架空の生物、架空の地形、人体の全体、人体の部分、化粧品、衣服、アクセサリー、靴、鞄、帽子、メガネ、時計、傘、運動用具、乗り物、家具、家電、工具、文房具、炊事用具、家事用具、園芸用具からなる群から選択された事物のインターネットブラウザーで読み込み可能な画像ファイルと、服飾のデザイン画や写真のインターネットブラウザーで読み込み可能な画像ファイルと、これらの画像をインターネット用のブラウザーソフト上で制御することが可能な文書形式により書かれたファイルを有し、各画像をマウスなどのポインティングデバイスにより適宜選択して、１枚の画像として、単数あるいは複数を、画面上に映し出し閲覧するファイル群にすることが提案されている（特許文献５参照）。【０００７】ダイニングボード、およびリビングボードの家具を色彩において自由に選択できるようになっている家具選択が可能になっているものは存在してない。
【先行技術文献】
【特許文献】
【０００８】
【特許文献１】特開平５−１４８９７４号公報
【特許文献２】特開２００５−２２０５２９号公報
【特許文献３】特開２０１１−２４８５５４号公報
【特許文献４】特開２００７−２６２８０号公報
【特許文献５】特開２００３−１３２１３１号公報
【考案の概要】
【考案が解決しようとする課題】
【０００９】ダイニングボード、およびリビングボードの家具において注文品よりも安価に、従来の半注文品よりも自由度を高めたダイニングボード、およびリビングボードの家具を提供することを目的とする。
ユーザーが自分で家具の販売店に出向いて家具を購入する場合には，ユーザーは家具を設置する環境（具体的には自分の家の居間等の部屋）に実際に家具を設置した状況を自身の記憶に頼って想像しながら家具を選択するのが一般的である。しかしカラーシミュレーションすることによって，上記環境（例；居間等の部屋）と調和のとれた家具を購入することを期待されている。【００１０】そのため，ユーザー自身のシミュレーションによってダイニングボード、およびリビングボードの家具を購入して実際に部屋に設置しても，その設置状況が購入時にユーザー自身がシミュレーションした状況とは異なって，結果的に上記環境と調和のとれない家具を設置せざる得ない状況となってしまう問題がある。ダイニングボード、およびリビングボードの家具を購入する場合に一般のユーザーにとってはパソコンで操作することが難しいプログラムである。【００１１】例えば，上記設計用プログラムをユーザーが操作するには，図面上の住宅構造の指定，寸法の入力，建具のサイズ等の多くのパラメータの入力を行わなければならず，家具を購入しようとするユーザーに上述の家具購入とは直接関係無い設計用プログラムの操作に関する知識を要求することは非常に難しいことであるといえる。店頭でダイニングボード、およびリビングボードの家具を販売することを目的とする販売店にとっては上記試みも非効率的な購買活動となる可能性がある。【００１２】そこで，本考案は上記事情に鑑みてなされたものであり，その目的とするところは，ダイニングボード、およびリビングボードの家具を購入して部屋に設置する状況のカラーシミュレーションを簡単な操作で実現できる顧客対応できるダイニングボード、およびリビングボードの家具を提供することである。
【課題を解決するための手段】
【００１３】部屋の環境にマッチできるように表面仕上げになっている対象面を選択できる家具であって、インターネットでの独自ホームページに簡単に直接接続できるようになり、しかも前記接続によって所望家具の表面である化粧板状基材の色彩・模様を自由に選択できるようなっているＱＲコード（登録商標）とカード名称と会社名とホームページアドレスとが印字されているタグシートを家具本体の表面に取り付けされている色彩選択可能なタグシート付き家具である。【００１４】家具の表面に取り付けされているタグシートは、縦５０〜２００ｍｍ、横５０〜２００ｍｍの形状の樹脂製、又は紙製のシートであって、その平面シート形状が略矩形、略三角形、円形、又は四角形以上の略多角形のうちの少なくとも何れか一つであり、そのシート内にパソコン、及びスマートフォンの移動通信機器で独自のホームページに直接接続できるＱＲコード（登録商標）と簡単な手順説明と検索サイトとカラーシミュレーターの名称を記載している。【００１５】独自のホームページに直接接続した場合には、形状・模様に加えて、色彩の３０〜８０種類のパターンを持っているダイニングボード、およびリビングボードの家具サイトに入って、それらの形状と併せて、色彩・模様で自由に選択を行うことによって、所望の形状と模様に色彩を持ったダイニングボード、およびリビングボードの家具を呈示、並びに選択できるようになっている。【００１６】需要者がインターネットにアクセスし、希望のダイニングボード、およびリビングボードの家具の形状（幅、奥行き、高さ）と寸法と色彩の種類と材料の種類と器具状況と設置場所の要望を詳細に打ち込むことにより、需要者に要望家具の容姿と料金と納期を提示して、需要者と製作者の合意のもとに売買契約を締結して、需要者の要望条件とともにホストコンピューターはプログラムに沿って部材の加工による組み立て、組み立てた後に出荷されることができるように食器棚を出荷する顧客対応の家具である。【００１７】前記建家住宅内の部屋である場合に，家具の色との組み合わせを含んでなる需要者に伝えるダイニングボード、およびリビングボードの家具になっている。前記調和家具提示手順で提示した家具に対する変更指示を受け付けた場合に，別の住宅内状況に関する情報と、別の家具の品目及び／若しくは色に関する情報を取得したダイニングボード、およびリビングボードの家具を提供できる。
【考案の効果】
【００１８】ダイニングボード、およびリビングボードの家具の発注者がインターネットを介して所望のダイニングボード，およびリビングボードの家具をオーダーする場合、ダイニングボード、およびリビングボードの家具発注者は、選択された家具部材を用いて構成されるダイニングボード、およびリビングボードの家具の画像が発注者の家具の情報選択手段にディスプレイされる。これによって、発注者が家具部材を選択する上で設置したイメージとおりの家具になり、家具を構成する家具部材を選択することが容易であるとともに、選択された家具と家具部材で構成されるダイニングボード、およびリビングボードの家具を画像で見て確認することができるため、発注者は確実に所望のダイニングボード、およびリビングボードの家具をオーダーすることができる。【００１９】本考案は，ダイニングボード、およびリビングボードの家具が設置される環境に調和する家具を提示するものであって，上記住宅内の家具設置手順で取得された情報に基づいて，予め定められる環境と品目との組み合わせから、上記環境に調和されたダイニングボード、およびリビングボードの家具の設置を提示することができる。【００２０】上述の方法でダイニングボード、およびリビングボードの家具を注文することで、多数の商品の展示も必要がなく、展示場をコンパクトにすることができて、営業、企画にかかる人件費、経費を削減することができる。顧客が選択した色彩、形状によって組み立てた後の段階で出荷するので、発注者が家具部材を選択する上で設置したイメージが家具になり、顧客が要望された自由な色彩、寸法のダイニングボード、およびリビングボードの家具を提供することができる。需要者が要望する形状、色彩の組み立てによって、全体的な人件費などの経費を削減することができた。
【図面の簡単な説明】
【００２１】
【図１】色彩を選択できるタグシート付き食器棚の概略平面図である。
【図２】カラーシュミレーターで色彩を選択できるタグシートの図である。
【図３】カラーシュミレーターでの色彩を選択できる手順を示す図である。
【図４】カラーシュミレーターで選択できた食器棚の室内平面図である。
【図５】色彩を選択できるタグシート付きテレビボード家具を示す概略斜視図である。
【考案を実施するための形態】
【００２２】以下、本考案の実施形態について、図面を参照して説明する。図１は、色彩を選択できるタグシート付き食器棚の概略平面図である。図２は、色彩を選択できるタグシートの図である。図３は、手順を示す図である。
【実施例１】
【００２３】部屋の環境にマッチできるように表面仕上げする対象面を選択できる横６００ｍｍ、奥行き４５０ｍｍ、高さ１８００  ｍｍｍである図１に示すようなパイン製のガラス戸付き食器棚であって、この食器棚に貼りつけたタグシートにインターネット又はスマホでの独自ホームページに簡単に直接接続できるようになっているＱＲコード（登録商標）を付けて、ホームページ内の食器棚の項目をクリックすると、それによる手順によって食器棚の表面を有する板状基材の化粧表面に形成される色彩・模様を５０種類で自由に選択できるようにしているタグシートを取り付けている。【００２４】食器棚に取り付けているタグシートは、縦５０ｍｍ、横５０ｍｍの形状の樹脂製のシートであって、その平面形状が略矩形であり、そのシート内にパソコン、及びスマートフォンで独自のホームページに直接接続できるＱＲコード（登録商標）と簡単な手順説明と検索サイトとカラーシミュレーターの名称を記載してある。【００２５】独自のホームページに直接接続した場合には、食器棚サイトに入って、形状、模様と色彩との５０種類のパターンを持っており、それらを自由に選択すると所望の形状と模様に色彩を着けた食器棚を呈示できるようになっている色彩を選択可能なタグシート付き食器棚である。【００２６】食器棚の発注者がインターネットを介して所望の食器棚をオーダーする場合、食器棚発注者は、選択された食器棚部材を用いて構成される食器棚の画像が食器棚発注者の食器棚情報選択手段にディスプレイされる。これによって、食器棚及びその家具を構成する家具部材を選択することが容易になり、選択された食器棚と家具部材で構成される食器棚を画像で見て確認することができた。これを基にサンプルの部材を最終確認して、食器棚発注者は確実に所望の食器棚をオーダーすることができた。
【実施例２】
【００２７】部屋の環境にマッチできるように表面仕上げする対象面を選択できる横１２００ｍｍ、奥行き４５０  ｍｍ、高さ１６００  ｍｍである図５に示すような製のガラス戸付きテレビボードであって、インターネットでの独自ホームページに簡単に直接接続できるようになっているＱＲコード（登録商標）を付けて、それによる手順によって食器棚の表面を有する板状基材の化粧表面に形成される色彩・模様を自由に選択できるようにしているタグシートを取り付けている。【００２８】テレビボードに取り付けているタグシートは、縦１００ｍｍ、横８０ｍｍの形状の樹脂製のシートであって、その平面形状が円形であり、そのシート内にパソコン、及びスマートフォンで独自のホームページに直接接続できるＱＲコード（登録商標）と簡単な手順説明と検索サイトとカラーシミュレーターの名称を記載している。【００２９】独自のホームページに直接接続した場合には、テレビボードサイトに入って、形状、模様と色彩との３０種類のパターンを持っており、それらを自由に選択すると所望の形状と模様に色彩を着けたテレビボードを呈示できるようになっている色彩選択可能なタグシート付きテレビボードである。【００３０】テレビボードの発注者がインターネットを介して所望のテレビボードをオーダーする場合、テレビボード発注者は、選択されたテレビボード部材を用いて構成されるテレビボードの画像がテレビボード発注者のテレビボード情報選択手段にディスプレイされる。これによって、テレビボードを構成する部材を選択することが容易になり、選択されたテレビボード部材で構成されるテレビボードを画像で見て確認することができた。テレビボード発注者は確実に所望のテレビボードをオーダーすることができた。
【実施例３】
【００３１】図４に示すように、部屋の環境にマッチできるように表面仕上げする対象面を選択できる横９００ｍｍ、奥行き４５０ｍｍ、高さ１２００ｍｍであるＭＤＦ製のガラス戸付き食器棚であって、インターネットでの独自ホームページに簡単に直接接続できるようになっているＱＲコード（登録商標）を付けて、それによる手順によって食器棚の表面を有する板状基材の化粧表面に形成される色彩・模様を自由に選択できるようにしているタグシートを取り付けている。【００３２】食器棚に取り付けているタグシートは、縦１００ｍｍ、横５０ｍｍの形状の樹脂製のシートであって、その平面形状が矩形であり、そのシート内にパソコン、及びスマートフォンで独自のホームページに直接接続できるＱＲコード（登録商標）と簡単な手順説明と検索サイトとカラーシミュレーターの名称を記載している。【００３３】独自のホームページに直接接続した場合には、食器棚サイトに入って、形状、模様と色彩との５０種類のパターンを持っており、それらを自由に選択すると所望の形状と模様に色彩を着けた食器棚を呈示できるようになっている色彩選択可能なタグシート付き食器棚である。【００３４】食器棚の発注者がインターネットを介して所望の食器棚をオーダーする場合、食器棚発注者は、選択された食器棚部材を用いて構成される食器棚の画像が食器棚発注者の食器棚情報選択手段にディスプレイされる。これによって、食器棚及びその家具を構成する家具部材を選択することが容易になり、選択された食器棚と家具部材で構成される食器棚を画像で見て確認することができた。食器棚発注者は確実に所望の食器棚をオーダーすることができた。
【符号の説明】
【００３５】１、食器棚
２、タグシート
３、表面
４、ＱＲコード
５、会社名
６、説明文
８、引き戸
９、ガラス戸
１０、テレビボード
【手続補正３】
【補正対象書類名】図面
【補正対象項目名】図２
【補正方法】変更
【補正の内容】
【図２】
0003195777.tif 000008
【手続補正４】
【補正対象書類名】図面
【補正対象項目名】図３
【補正方法】変更
【補正の内容】
【図３】
0003195777.tif 000009
【手続補正書】
【提出日】平成26年11月17日(2014.11.17)
【手続補正１】
【補正対象書類名】図面
【補正対象項目名】図２
【補正方法】変更
【補正の内容】
【図２】
0003195777.tif 000010
【手続補正２】
【補正対象書類名】実用新案登録請求の範囲
【補正対象項目名】請求項３
【補正方法】変更
【補正の内容】
【請求項３】
独自のホームページに直接接続した場合には、形状・模様に加えて、色彩の３０〜８０種類のパターンを持っているダイニングボード、およびリビングボードの家具サイトに入って、それらの形状と併せて、色彩・模様で自由に選択を行うことによって、所望の形状と模様に色彩を持ったダイニングボード、およびリビングボードの家具を呈示、並びに選択できるようになっていることを特徴とする請求項１、又は請求項２に記載の色彩選択可能なタグシート付き家具